(57)【要約】方法および装置を説明する。一方法によれば、無線送信／受信ユニット（ＷＴＲＵ）が、第１の基地局動作周波数と、セル構成パラメータのセットとを使用して基地局と通信する。ＷＴＲＵは、所定の時刻に基地局と通信するのに使用するための第２の基地局動作周波数を示す情報を受信する。ＷＴＲＵは、その所定の時刻またはその後に、第２の基地局動作周波数と、セル構成パラメータの同一のセットとを使用して基地局と通信する。
2014510479.tif 000002
【特許請求の範囲】
【請求項１】
無線送信／受信ユニット（ＷＴＲＵ）で実行される方法であって、
第１の基地局動作周波数およびセル構成パラメータのセットを使用して基地局と通信するステップと、
所定の時刻に前記基地局と通信するのに使用するための第２の基地局動作周波数を示す情報を受信するステップと、
前記所定の時刻またはその後に、前記第２の基地局動作周波数およびセル構成パラメータの同一のセットを使用して前記基地局と通信するステップと
を含むことを特徴とする方法。
【請求項２】
セル構成パラメータの前記セットは、RadioResourceConfigCommon  ＩＥおよびRadioResourceConfigDedicated  ＩＥの少なくとも一方に含まれる無線リソース情報要素（ＩＥ）を含むことを特徴とする請求項１に記載の方法。
【請求項３】
前記第２の基地局動作周波数に変更するためのトリガを受信するステップと、
前記トリガを受信することに応答して、前記所定の時刻またはその後に前記基地局と通信するために前記第２の基地局動作周波数に変更するステップと
をさらに含むことを特徴とする請求項１に記載の方法。
【請求項４】
前記所定の時刻に前記基地局によって操作される新しいセルに対するダイレクテッドセル再選択を開始する命令と、前記新しいセルに対するハンドオーバ手順を開始する命令の一方を受信するステップであって、前記新しいセルは、前記第２の基地局動作周波数および前記第２のセルＩＤに対応する、ステップと、
前記所定の時刻に前記新しいセルに対する前記ダイレクテッドセル再選択または前記ハンドオーバの一方を開始するステップと
をさらに含むことを特徴とする請求項３に記載の方法。
【請求項５】
前記ＷＴＲＵが前記基地局によって操作される複数のセルの動作パラメータで事前構成され、方法は、前記所定の時刻に、第１のセルＩＤに対応するセルが休眠状態となり、第２のセルＩＤに対応するセルがアクティブとなるという通知を受信するステップをさらに含むことを特徴とする請求項１に記載の方法。
【請求項６】
前記所定の時刻に前記基地局と通信するのに使用するための前記第２の基地局動作周波数を示す前記情報を受信するステップは、前記基地局からシステム情報（ＳＩ）を読み取るステップを含むことを特徴とする請求項１に記載の方法。
【請求項７】
SystemInfoModification情報要素（ＩＥ）を含むページングメッセージまたはChannelchange-Indication  ＩＥを含むページングメッセージの一方で前記基地局によってブロードキャストされる前記ＳＩを読み取るためのトリガを受信するステップをさらに含むことを特徴とする請求項６に記載の方法。
【請求項８】
前記ＷＴＲＵが無線リソースコントローラ（ＲＲＣ）＿ＣＯＮＮＥＣＴＥＤモードにあり、前記所定の時刻に前記基地局と通信するのに使用するための前記第２の基地局動作周波数を示す前記情報を受信するステップは、RRCConnectionSetupメッセージに含まれるマルチキャスト無線ネットワーク一時識別子（ＭＣ−ＲＮＴＩ）で、ユニキャストアドレッシング機構またはマルチキャストアドレッシング機構を使用して、拡張ハンドオーバコマンドまたはChannelChangeCommandを受信するステップを含むことを特徴とする請求項１に記載の方法。
【請求項９】
第１の基地局動作周波数およびセル構成パラメータのセットを使用して基地局と通信し、
所定の時刻に前記基地局と通信するのに使用するための第２の基地局動作周波数を示す情報を受信し、
前記所定の時刻またはその後に、前記第２の基地局動作周波数およびセル構成パラメータの同一のセットを使用して前記基地局と通信する
ように構成された送受信ユニット
を備えることを特徴とする無線送信／受信ユニット（ＷＴＲＵ）。
【請求項１０】
基地局の動作周波数を変更する方法であって、
第１の基地局動作周波数を使用して無線送信／受信ユニット（ＷＴＲＵ）と通信するステップと、
前記基地局の前記動作周波数を変更することを決定するステップと、
前記基地局の前記動作周波数を変更することを決定するステップに応答して、第２の基地局動作周波数を使用して前記ＷＴＲＵと通信するステップと
を含むことを特徴とする方法。
【請求項１１】
前記基地局の前記動作周波数を変更することを決定する前記ステップは、前記第１の基地局動作周波数上の１次ユーザの存在、または所定の干渉レベルを超える前記第１の基地局動作周波数上の他の２次ユーザからの干渉の少なくとも一方に基づくことを特徴とする請求項１０に記載の方法。
【請求項１２】
前記基地局の前記動作周波数を変更するその決定に応答して、所定の時刻に前記基地局によって操作される新しいセルに対するダイレクテッドセル再選択を開始するように、または前記所定の時刻に前記新しいセルに対するハンドオーバ手順を開始するように前記ＷＴＲＵに命令を送信するステップをさらに含むことを特徴とする請求項１０に記載の方法。
【請求項１３】
少なくとも１つのＷＴＲＵ関連特性に基づいて、前記基地局によってサービスされる複数のＷＴＲＵを複数のマルチキャストグループにグループ化するステップと、
前記複数のマルチキャストグループのそれぞれに優先順位レベルを割り当てるステップと、
別々のマルチキャストメッセージを介して優先順位レベルの順に前記複数のマルチキャストグループに前記命令を送信するステップと
をさらに含むことを特徴とする請求項１２に記載の方法。
【請求項１４】
前記基地局が、同時に複数のセルを操作するように構成され、前記複数のセルは、前記第１の基地局動作周波数に対応する第１のセルおよび前記第２の基地局動作周波数に対応する第２のセルを含み、
前記ＷＴＲＵが前記複数のセルに関するパラメータで事前構成されており、
前記方法が、所定の時刻に、前記第１のセルが休眠状態となり、前記第２のセルがアクティブとなることを前記ＷＴＲＵに命令するステップをさらに含むことを特徴とする請求項１０に記載の方法。
【請求項１５】
システム情報（ＳＩ）ブロードキャストで提供される現基地局動作周波数を変更することにより、動作周波数の前記変更の通知を前記ＷＴＲＵに送信するステップをさらに含むことを特徴とする請求項１０に記載の方法。
【請求項１６】
前記基地局が前記ＳＩを変更しようとするという前記通知が現修正期間中に送信され、方法は、次の修正期間中に、前記変更された現基地局動作周波数で前記ＳＩをブロードキャストするステップをさらに含むことを特徴とする請求項１５に記載の方法。
【請求項１７】
指定の値よりも低いが、作業範囲内にある前記現基地局動作周波数の品質が検出されるという条件で、前記修正期間の時間の長さを削減するステップをさらに含むことを特徴とする請求項１６に記載の方法。
【請求項１８】
前記ＷＴＲＵから少なくとも１つの測定レポートを受信するステップと、
前記少なくとも１つの測定レポートで提供される情報に応答して、前記基地局の前記動作周波数を変更することを決定するステップと
をさらに含むことを特徴とする請求項１０に記載の方法。
【請求項１９】
前記第１の基地局動作周波数および前記第２の基地局動作周波数がテレビジョンホワイトスペース（ＴＶＷＳ）バンド内にあることを特徴とする請求項１０に記載の方法。
【請求項２０】
前記第１の基地局動作周波数および前記第２の基地局動作周波数がピコセルに対応し、
前記基地局の前記動作周波数を変更することを決定するステップに応答して、前記第２の基地局動作周波数に前記ピコセルを再構成する前に、近隣セルに対する再選択またはハンドオーバの一方を実施するように前記ＷＴＲＵをトリガするステップ、および
前記第２の基地局動作周波数に前記ピコセルを再構成することが完了するという条件で、元のピコセルに対する再選択またはハンドオーバの一方を実施するように前記ＷＴＲＵをトリガするステップを特徴とする請求項１０に記載の方法。
【発明の詳細な説明】
【技術分野】
【０００１】
本発明は、無線通信に関する。
【背景技術】
【０００２】
連邦通信委員会（ＦＣＣ）は、特定のタイプの無線送信機によって使用するための特定の周波数帯を認可することにより、無線送信機間の干渉を防止または低減しようとしている。ＦＣＣは、主にＴＶ送信用に使用するためのテレビジョン（ＴＶ）バンド（チャネル２から５１に対応する）を認可した。ＦＣＣはまた、他のタイプの無線送信機によって使用するためのいくつかのＴＶバンドチャネルも認可した。例えば、チャネル３７が電波天文学のために予約され、チャネル７から４６が、無線医療遠隔測定サービス（ＷＭＴＳ：Wireless Medical Telemetry Service）によって使用されるために認可され、チャネル１４から２０が、私用陸上移動無線システム（ＰＬＭＲＳ：Private Land Mobile Radio System）によってさらに使用するために認可され、チャネル４〜３６および３８〜５１が、リモート制御装置によってさらに使用されるために認可され、チャネル２から５１が、ワイヤレスマイクによって使用されるために認可される。
【０００３】
ＴＶバンド内で動作する免許を受けた無線送信機と無免許の無線送信機との間の干渉の危険を低減することを目的としたいくつかの条件を前提として、ＦＣＣは、無免許の無線送信機が、サービスをブロードキャストすることに割り振られるが、ローカルに使用されないＴＶバンド内の周波数上で動作することも許可する。本明細書では、こうした周波数をＴＶホワイトスペース（ＴＶＷＳ）と呼ぶことがあり、こうした周波数は、例えば、チャネル２〜３６および３８〜５１に対応する周波数を含むことがある。
【発明の概要】
【０００４】
方法および装置を説明する。一方法によれば、無線送信／受信ユニット（ＷＴＲＵ）が、第１の基地局動作周波数およびセル構成パラメータのセットを使用して基地局と通信する。ＷＴＲＵは、所定の時刻に基地局と通信するのに使用するための第２の基地局動作周波数を示す情報を受信する。ＷＴＲＵは、その所定の時刻またはその後に、第２の基地局動作周波数およびセル構成パラメータの同一のセットを使用して基地局と通信する。
【図面の簡単な説明】
【０００５】
添付図面と共に例として与えられる以下の説明から、詳細な理解を得ることができる。
【図１Ａ】１つまたは複数の開示される実施形態を実装することのできる例示的通信システムのシステム図である。
【図１Ｂ】図１Ａに示す通信システム内で使用することのできる例示的な無線送信／受信ユニット（ＷＴＲＵ）のシステム図である。
【図１Ｃ】図１Ａに示す通信システム内で使用することのできる例示的無線アクセスネットワークおよび例示的コアネットワークのシステム図である。
【図２】オペレータがネットワーク内の基地局の動作周波数の先験的知識を有する場合の、ネットワークに関する例示的システム情報取得手順を示す図である。
【図３】例示的システム情報更新手順を示す図３００である。
【図４】ＲＲＣ＿ＣＯＮＮＥＣＴＥＤモードのＷＴＲＵに関するイントラＭＭＥハンドオーバ手順を示す信号図である。
【図５Ａ】セル再構成の一実施形態を示す図である。
【図５Ｂ】セル再構成の一実施形態を示す図である。
【図６Ａ】ダイレクテッドセル変更の一実施形態を示す図である。
【図６Ｂ】ダイレクテッドセル変更の一実施形態を示す図である。
【図７Ａ】仮想マルチコンポーネントキャリア（ＣＣ）セルの一実施形態を示す図である。
【図７Ｂ】仮想マルチコンポーネントキャリア（ＣＣ）セルの一実施形態を示す図である。
【図８】ネットワークステータスに基づく適応修正期間変更（adaptive modification period changing）の例示的方法の図である。
【図９】物理層セル再構成インジケーションの一例を示す図である。
【図１０】RRC_CONNECTEDモードのＷＴＲＵに関する例示的チャネル変更手順を示す信号図である。
【図１１】ＴＶＷＳを使用する例示的なＬＴＥネットワークの図である。
【図１２】ＴＶＷＳで動作するＬＴＥシステムに関する例示的アーキテクチャの図である。
【発明を実施するための形態】
【０００６】
図１Ａは、１つまたは複数の開示される実施形態を実装することのできる例示的通信システム１００の図である。通信システム１００は、音声、データ、ビデオ、メッセージング、ブロードキャストなどのコンテンツを複数の無線ユーザに提供する多元接続システムでよい。通信システム１００は、無線帯域幅を含むシステムリソースの共有を通じて複数の無線ユーザがそのようなコンテンツにアクセスすることを可能にする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を利用できる。
【０００７】
図１Ａに示すように、通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０および他のネットワーク１１２を含むことができるが、開示される実施形態では、任意の数のＷＴＲＵ、基地局、ネットワークおよび／またはネットワーク要素が企図されることを理解されよう。ＷＴＲＵ１０２ａ、１０２ｂ、１０２ｃ、１０２ｄのそれぞれは、無線環境で動作および／または通信するように構成された任意のタイプの装置でよい。例えば、ＷＴＲＵ１０２ａ、１０２ｂ、１０２ｃ、１０２ｄは、無線信号を送信および／または受信するように構成することができ、ユーザ機器（ＵＥ）、移動局、固定またはモバイル加入者ユニット、ページャ、セルラ電話、ＰＤＡ、スマートフォン、ラップトップ、ネットブック、パーソナルコンピュータ、無線センサ、コンシューマエレクトロニクスなどを含むことができる。
【０００８】
通信システム１００は、基地局１１４ａおよび基地局１１４ｂをも含むことができる。基地局１１４ａ、１１４ｂのそれぞれは、ＷＴＲＵ１０２ａ、１０２ｂ、１０２ｃ、１０２ｄの少なくとも１つとワイヤレスにインターフェースして、コアネットワーク１０６、インターネット１１０および／またはネットワーク１１２などの１つまたは複数の通信ネットワークへのアクセスを実施するように構成された任意のタイプの装置でよい。例えば、基地局１１４ａ、１１４ｂは、送受信基地局（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、アクセスポイント（ＡＰ）、無線ルータなどでよい。基地局１１４ａ、１１４ｂをそれぞれ単一の要素として示すが、基地局１１４ａ、１１４ｂは任意の数の相互接続された基地局および／またはネットワーク要素を含むことができることを理解されよう。
【０００９】
基地局１１４ａはＲＡＮ１０４の一部でよく、ＲＡＮ１０４は、基地局コントローラ（ＢＳＣ）、無線ネットワークコントローラ（ＲＮＣ）、中継ノードなどの他の基地局および／またはネットワーク要素（図示せず）をも含むことができる。基地局１１４ａおよび／または基地局１１４ｂは、セル（図示せず）とも呼ばれることのある特定の地理的領域内の無線信号を送信および／または受信するように構成されることができる。セルはさらにセルセクタに分割できる。例えば、基地局１１４ａに関連するセルを３つのセクタに分割できる。従って、一実施形態では、基地局１１４ａは、３つのトランシーバ、すなわちセルの各セクタについて１つのトランシーバを含むことができる。別の実施形態では、基地局１１４ａは多入力多出力（ＭＩＭＯ）技術を利用することができ、従って、セルの各セクタについて複数のトランシーバを利用することができる。
【００１０】
基地局１１４ａ、１１４ｂは、エアインターフェース１１６を介してＷＴＲＵ１０２ａ、１０２ｂ、１０２ｃ、１０２ｄの１つまたは複数と通信することができ、エアインターフェース１１６は、任意の適切な無線通信リンク（例えば、無線周波数（ＲＦ）、マイクロ波、赤外線（ＩＲ）、紫外線（ＵＶ）、可視光など）でよい。任意の適切な無線アクセス技術（ＲＡＴ）を使用してエアインターフェース１１６を確立することができる。
【００１１】
より具体的には、上述のように、通信システム１００は多元接続システムでよく、ＣＤＭＡ、ＴＤＭＡ、ＦＤＭＡ、ＯＦＤＭＡ、ＳＣ−ＦＤＭＡなどの１つまたは複数のチャネルアクセス方式を利用できる。例えば、ＲＡＮ１０４内の基地局１１４ａと、ＷＴＲＵ１０２ａ、１０２ｂ、１０２ｃとは、広帯域ＣＤＭＡ（Ｗ−ＣＤＭＡ）を使用してエアインターフェース１１６を確立することができる、ユニバーサル移動体通信システム（ＵＭＴＳ）地上無線アクセス（ＵＴＲＡ）などの無線技術を実装できる。Ｗ−ＣＤＭＡは、ＨＳＰＡ（High Speed Packet Access）および／またはＨＳＰＡ＋（Evolved HSPA）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１２】
別の実施形態では、基地局１１４ａおよびＷＴＲＵ１０２ａ、１０２ｂ、１０２ｃは、ＬＴＥ（Long Term Evolution）および／またはＬＴＥ−Ａｄｖａｎｃｅｄ（ＬＴＥ−Ａ）を使用してエアインターフェース１１６を確立することができる、Ｅ−ＵＴＲＡ（Evolved UMTS Terrestrial Radio Access）などの無線技術を実装できる。
【００１３】
別の実施形態では、基地局１１４ａおよびＷＴＲＵ１０２ａ、１０２ｂ、１０２ｃは、ＩＥＥＥ８０２．１６（すなわち、ＷｉＭＡＸ）、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile communications）、ＥＤＧＥ（Enhanced Data rates for GSM Evolution）、ＧＥＲＡＮ（GSM EDGE）などの無線技術を実装できる。
【００１４】
図１Ａの基地局１１４ｂは、例えば、無線ルータ、Ｈｏｍｅ  Ｎｏｄｅ  Ｂ、Ｈｏｍｅ  ｅＮｏｄｅ  Ｂ、またはアクセスポイントでよく、ビジネス、自宅、車両、キャンパスの場所などの局所化されたエリアで無線接続性を実施するための任意の適切なＲＡＴを利用できる。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立できる。別の実施形態では、基地局１１４ｂおよびＷＴＲＵ１０２ｃ、１０２ｄは、ＩＥＥＥ８０２．１５などの無線技術を実装して、無線パーソナルエリアネットワーク（ＷＰＡＮ）を確立できる。さらに別の実施形態では、基地局１１４ｂおよびＷＴＲＵ１０２ｃ、１０２ｄは、セルラベースのＲＡＴ（例えば、Ｗ−ＣＤＭＡ、ＣＤＭＡ２０００、ＧＳＭ、ＬＴＥ、ＬＴＥ−Ａなど）を利用して、ピコセルまたはフェムトセルを確立できる。図１Ａに示すように、基地局１１４ｂは、インターネット１１０に対する直接的接続を有することができる。従って、基地局１１４ｂは、コアネットワーク１０６を介してインターネット１１０にアクセスする必要がないことがある。
【００１５】
ＲＡＮ１０４はコアネットワーク１０６と通信することができ、コアネットワーク１０６は、ＷＴＲＵ１０２ａ、１０２ｂ、１０２ｃ、１０２ｄの１つまたは複数に、音声、データ、アプリケーション、および／またはＶｏＩＰ（voice over internet protocol）サービスを提供するように構成された任意のタイプのネットワークでよい。例えば、コアネットワーク１０６は、呼制御、課金サービス、モバイル位置情報サービス、プリペイド呼出し、インターネット接続性、ビデオ配布などを提供することができ、かつ／またはユーザ認証などの高レベルセキュリティ機能を実施できる。図１Ａには図示していないが、ＲＡＮ１０４および／またはコアネットワーク１０６は、ＲＡＮ１０４と同一のＲＡＴまたは異なるＲＡＴを利用する他のＲＡＮと直接的または間接的に通信できることを理解されよう。例えば、Ｅ−ＵＴＲＡ無線技術を利用している可能性があるＲＡＮ１０４に接続することに加えて、コアネットワーク１０６は、ＧＳＭ無線技術を利用する別のＲＡＮ（図示せず）とも通信することができる。
【００１６】
コアネットワーク１０６は、ＷＴＲＵ１０２ａ、１０２ｂ、１０２ｃ、１０２ｄがＰＳＴＮ１０８、インターネット１１０および／または他のネットワーク１１２にアクセスするためのゲートウェイとして働くこともできる。ＰＳＴＮ１０８は、簡易電話サービス（ＰＯＴＳ）を提供する回線交換電話網を含むことができる。インターネット１１０は、ＴＣＰ／ＩＰインターネットプロトコル群のＴＣＰ、ＵＤＰ、ＩＰなどの共通の通信プロトコルを使用する、相互接続されたコンピュータネットワークおよび装置のグローバルシステムを含むことができる。ネットワーク１１２は、他のサービスプロバイダによって所有および／または運用される有線または無線通信ネットワークを含むことができる。例えば、ネットワーク１１２は、ＲＡＮ１０４と同一のＲＡＴまたは異なるＲＡＴを利用できる１つまたは複数のＲＡＮに接続された別のコアネットワークを含むことができる。
【００１７】
通信システム１００内のＷＴＲＵ１０２ａ、１０２ｂ、１０２ｃ、１０２ｄの一部または全てはマルチモード機能を含むことができ、すなわち、ＷＴＲＵ１０２ａ、１０２ｂ、１０２ｃ、１０２ｄは、異なる無線リンクを介して異なる無線ネットワークと通信する複数のトランシーバを含むことができる。例えば、図１Ａに示すＷＴＲＵ１０２ｃは、セルラベースの無線技術を利用できる基地局１１４ａと、ＩＥＥＥ８０２無線技術を利用できる基地局１１４ｂと通信するように構成することができる。
【００１８】
図１Ｂは、例示的ＷＴＲＵ１０２のシステム図である。図１Ｂに示すように、ＷＴＲＵ１０２は、プロセッサ１１８、トランシーバ１２０、送受信素子１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６および他の周辺機器１３８を含むことができる。ＷＴＲＵ１０２は、実施形態に適合したままで、上記の要素の任意のサブコンビネーションを含みうることを理解されよう。
【００１９】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、ＡＳＩＣ、ＦＰＧＡ回路、任意の他のタイプの集積回路（ＩＣ）、状態機械などでよい。プロセッサ１１８は、信号符号化、データ処理、電力制御、入出力処理、および／またはＷＴＲＵ１０２が無線環境内で動作することを可能にする任意の他の機能を実施できる。プロセッサ１１８をトランシーバ１２０に結合でき、トランシーバ１２０を送受信素子１２２に結合できる。図１Ｂはプロセッサ１１８およびトランシーバ１２０を別々の構成要素として示すが、プロセッサ１１８とトランシーバ１２０を電子パッケージまたはチップとして互いに一体化できることを理解されよう。
【００２０】
エアインターフェース１１６を介して基地局（例えば、基地局１１４ａ）に信号を送信し、または基地局から信号を受信するように送受信素子１２２を構成することができる。例えば、一実施形態では、送受信素子１２２は、ＲＦ信号を送信および／または受信するように構成されたアンテナでよい。別の実施形態では、送受信素子１２２は、ＩＲ、ＵＶまたは可視光信号を送信および／または受信するように構成された放射器／検出器でよい。さらに別の実施形態では、ＲＦ信号と光信号のどちらも送信および受信するように送受信素子１２２を構成することができる。無線信号の任意の組合せを送信および／または受信するように送受信素子１２２を構成できることを理解されよう。
【００２１】
さらに、図１Ｂでは送受信素子１２２を単一の要素として示すが、ＷＴＲＵ１０２は任意の数の送受信素子を含むことができる。より具体的には、ＷＴＲＵ１０２はＭＩＭＯ技術を利用できる。従って、一実施形態では、ＷＴＲＵ１０２は、エアインターフェース１１６を介して無線信号を送信および受信する２つ以上の送受信素子１２２（例えば、複数のアンテナ）を含むことができる。
【００２２】
送受信素子１２２によって送信すべき信号を変調し、送受信素子１２２によって受信される信号を復調するようにトランシーバ１２０を構成することができる。上述のように、ＷＴＲＵ１０２はマルチモード機能を有することができる。従って、トランシーバ１２０は、例えばＵＴＲＡやＩＥＥＥ８０２．１１などの複数のＲＡＴを介してＷＴＲＵ１０２が通信することを可能にする複数のトランシーバを含むことができる。
【００２３】
スピーカ／マイクロフォン１２４、キーパッド１２６および／またはディスプレイ／タッチパッド１２８（例えば、液晶ディスプレイ（ＬＣＤ）ディスプレイユニットまたは有機発光ダイオード（ＯＬＥＤ）ディスプレイユニット）にＷＴＲＵ１０２のプロセッサ１１８を結合でき、それらからユーザ入力データを受信できる。プロセッサ１１８はまた、スピーカ／マイクロフォン１２４、キーパッド１２６および／またはディスプレイ／タッチパッド１２８にユーザデータを出力することもできる。さらに、プロセッサ１１８は、非リムーバブルメモリ１３０および／またはリムーバブルメモリ１３２などの任意のタイプの適切なメモリからの情報にアクセスし、それらにデータを格納できる。非リムーバブルメモリ１３０は、ＲＡＭ、ＲＯＭ、ハードディスク、または任意の他のタイプのメモリ記憶装置を含むことができる。リムーバブルメモリ１３２は、加入者識別モジュール（ＳＩＭ）カード、メモリスティック、セキュアデジタル（ＳＤ）メモリカードなどを含むことができる。別の実施形態では、プロセッサ１１８は、サーバやホームコンピュータ（図示せず）上などの、ＷＴＲＵ１０２上に物理的に位置していないメモリからの情報にアクセスし、それにデータを格納できる。
【００２４】
プロセッサ１１８は、電源１３４から電力を受けることができ、ＷＴＲＵ１０２内の他の構成要素への電力を分配および／または制御するように構成することができる。電源１３４は、ＷＴＲＵ１０２に電源供給する任意の適切な装置でよい。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２５】
プロセッサ１１８をＧＰＳチップセット１３６に結合することもでき、ＷＴＲＵ１０２の現在位置に関する位置情報（例えば、経度および緯度）を提供するようにＧＰＳチップセット１３６を構成することができる。ＧＰＳチップセット１３６からの情報に加えて、またはＧＰＳチップセット１３６からの情報の代わりに、ＷＴＲＵ１０２は、基地局（例えば、基地局１１４ａ、１１４ｂ）からエアインターフェース１１６を介して位置情報を受信することができ、かつ／または２つ以上の近隣の基地局から受信している信号のタイミングに基づいてＷＴＲＵ１０２の位置を求めることができる。ＷＴＲＵ１０２は、実施形態に適合したままで、任意の適切な位置決定方法によって位置情報を取得できることを理解されよう。
【００２６】
プロセッサ１１８を他の周辺機器１３８にさらに結合することができ、他の周辺機器１３８は、追加の特徴、機能および／または有線または無線接続性を提供する１つまたは複数のソフトウェアおよび／またはハードウェアモジュールを含むことができる。例えば、周辺機器１３８は、加速度計、ｅコンパス、サテライトトランシーバ、デジタルカメラ（写真またはビデオ用）、ＵＳＢポート、バイブレーション装置、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００２７】
図１Ｃは、一実施形態によるＲＡＮ１０４およびコアネットワーク１０６のシステム図である。上述のように、ＲＡＮ１０４は、Ｅ−ＵＴＲＡ無線技術を利用して、エアインターフェース１１６を介してＷＴＲＵ１０２ａ、１０２ｂ、１０２ｃと通信することができる。ＲＡＮ１０４はまた、コアネットワーク１０６とも通信することができる。
【００２８】
ＲＡＮ１０４はｅＮｏｄｅ−Ｂ１４０ａ、１４０ｂ、１４０ｃを含むことができるが、ＲＡＮ１０４は、実施形態に適合したままで任意の数のｅＮｏｄｅ−Ｂを含むことができることを理解されよう。ｅＮｏｄｅ−Ｂ１４０ａ、１４０ｂ、１４０ｃはそれぞれ、エアインターフェース１１６を介してＷＴＲＵ１０２ａ、１０２ｂ、１０２ｃと通信する１つまたは複数のトランシーバを含むことができる。一実施形態では、ｅＮｏｄｅ−Ｂ１４０ａ、１４０ｂ、１４０ｃはＭＩＭＯ技術を実装できる。従って、例えばｅＮｏｄｅ−Ｂ１４０ａは、複数のアンテナを使用して、ＷＴＲＵ１０２ａに無線信号を送信し、ＷＴＲＵ１０２ａから無線信号を受信できる。
【００２９】
ｅＮｏｄｅ−Ｂ１４０ａ、１４０ｂ、１４０ｃのそれぞれを特定のセル（図示せず）に関連付けることができ、無線リソース管理決定、ハンドオーバ決定、アップリンクおよび／またはダウンリンクでのユーザのスケジューリングなどを処理するように構成することができる。図１Ｃに示すように、ｅＮｏｄｅ−Ｂ１４０ａ、１４０ｂ、１４０ｃは、Ｘ２インターフェースを介して互いに通信することができる。
【００３０】
図１Ｃに示すコアネットワーク１０６は、モビリティ管理ゲートウェイ（ＭＭＥ）１４２、サービングゲートウェイ１４４およびパケットデータネットワーク（ＰＤＮ）ゲートウェイ１４６を含むことができる。上記の要素のそれぞれをコアネットワーク１０６の一部として示すが、こうした要素のいずれか１つを、コアネットワークオペレータ以外のエンティティによって所有および／または運用できることを理解されよう。
【００３１】
Ｓ１インターフェースを介してＲＡＮ１０４内のｅＮｏｄｅ−Ｂ１４０ａ、１４０ｂ、１４０ｃのそれぞれにＭＭＥ１４２を接続することができ、ＭＭＥ１４２は制御ノードとして働くことができる。例えば、ＭＭＥ１４２は、ＷＴＲＵ１０２ａ、１０２ｂ、１０２ｃのユーザの認証、ベアラ活動化／非活動化、ＷＴＲＵ１０２ａ、１０２ｂ、１０２ｃの初期接続中の特定のサービングゲートウェイの選択などを担当することができる。ＭＭＥ１４２はまた、ＲＡＮ１０４と、ＧＳＭやＷ−ＣＤＭＡなどの他の無線技術を利用する他のＲＡＮ（図示せず）との間で切り換えるための制御プレーン機能も提供できる。
【００３２】
Ｓ１インターフェースを介してＲＡＮ１０４内のｅＮｏｄｅ  Ｂ１４０ａ、１４０ｂ、１４０ｃのそれぞれにサービングゲートウェイ１４４を接続することができる。サービングゲートウェイ１４４は一般に、ＷＴＲＵ１０２ａ、１０２ｂ、１０２ｃへの／からのユーザデータパケットをルーティングおよび転送することができる。サービングゲートウェイ１４４はまた、ｅＮｏｄｅ  Ｂハンドオーバ中のユーザプレーンのアンカリング、ダウンリンクデータがＷＴＲＵ１０２ａ、１０２ｂ、１０２ｃにとって利用可能であるときのページングのトリガリング、ＷＴＲＵ１０２ａ、１０２ｂ、１０２ｃのコンテキストの管理および格納などの他の機能も実施できる。
【００３３】
サービングゲートウェイ１４４をＰＤＮゲートウェイ１４６にも接続することができ、ＰＤＮゲートウェイ１４６は、ＷＴＲＵ１０２ａ、１０２ｂ、１０２ｃがインターネット１１０などのパケット交換ネットワークにアクセスできるようにし、ＷＴＲＵ１０２ａ、１０２ｂ、１０２ｃとＩＰ使用可能装置との間の通信を実施することができる。
【００３４】
コアネットワーク１０６は、他のネットワークとの通信を実施できる。例えば、コアネットワーク１０６は、ＷＴＲＵ１０２ａ、１０２ｂ、１０２ｃがＰＳＴＮ１０８などの回線交換ネットワークにアクセスできるようにし、ＷＴＲＵ１０２ａ、１０２ｂ、１０２ｃと従来の固定通信装置との間の通信を実施できる。例えば、コアネットワーク１０６は、コアネットワーク１０６とＰＳＴＮ１０８との間のインターフェースとして働くＩＰゲートウェイ（例えば、ＩＰマルチメディアサブシステム（ＩＭＳ）サーバ）を含むことができ、またはそれと通信することができる。さらに、コアネットワーク１０６は、ＷＴＲＵ１０２ａ、１０２ｂ、１０２ｃがネットワーク１１２にアクセスできるようにすることができ、ネットワーク１１２は、他のサービスプロバイダによって所有および／または運用される他の有線または無線ネットワークを含むことができる。
【００３５】
ＷＴＲＵは、基地局の動作周波数を使用して基地局との通信を実施できる。ＷＴＲＵは、システム情報取得手順を介して、ネットワーク内の基地局の動作周波数について通知を受けることができ、システム情報取得手順は、ネットワークオペレータがネットワーク内の基地局の動作周波数の先験的知識を有する場合、システム情報（ＳＩ）でネットワーク内のＷＴＲＵに動作周波数をブロードキャストすることを含むことができる。ＬＴＥシステムでは、ＭＩＢ（MasterInformationBlock）およびいくつかのＳＩＢ（SystemlnformationBlock）を介してＳＩを周期的にブロードキャストすることができる。特定のＳＩＢを使用して、サービングセルおよび近隣セル情報（例えば、セル識別、動作周波数など）をブロードキャストすることができる。
【００３６】
図２は、ネットワークオペレータがネットワーク内の基地局の動作周波数の先験的知識を有するネットワークに関する例示的ＳＩ取得手順を示す図である。図示する例では、Ｅ−ＵＴＲＡＮ（Evolved Universal Terrestrial Radio Access Network）２０４などのネットワークエアインターフェースが、ＳＩＢ２０８（例えば、SystemInformationBlockType1）およびマスタ情報ブロック（ＭＩＢ）２０６を介してＳＩ２１０をＷＴＲＵ２０２に送信する。
【００３７】
例えば、情報のいずれかが変化する場合、ＳＩを時々更新する必要があることがある。ＳＩが変化する場合、ＷＴＲＵは、ＳＩ更新手順を介して変更について通知を受けることができる。
【００３８】
図３は、例示的ＳＩ更新手順を示す図３００である。ネットワークがそのＳＩを変更するとき、ネットワークはまず、例えばブロードキャスト共通制御チャネル（ＢＣＣＨ）修正期間３０８中にＷＴＲＵに変更通知３０６を送信することにより、変更についてＷＴＲＵに通知することができる。次の修正期間３０４では、ネットワークは更新後のＳＩ３０２を送信できる。ＳＩメッセージのスケジューリングによって定義されるように、修正期間内に同じ内容で何回かＳＩメッセージを送信できる。ページングメッセージを使用して、次の修正期間中にＳＩが変化することをRRC_IDLEモードおよびRRC_CONNECTEDモードのＷＴＲＵに通知することができる。ＷＴＲＵが要素systemInfoModificationを含むページングメッセージを受信したとき、ＷＴＲＵはＳＩが次の修正期間境界で変化することを知ることができる。修正期間３０８中のＳＩの変化についてＷＴＲＵに通知することができるが、（例えば、どのシステム情報が変化するかに関する）さらなる詳細を修正期間３０８中に提供することができない。
【００３９】
ＷＴＲＵは、セルを時々切り換えることができる（例えば、ＷＴＲＵがその現在セルで高レベルの干渉を受けている場合）。ＲＲＣ＿ＩＤＬＥモードのＷＴＲＵは、例えばセル再選択を実施することにより、新しいセルに切り替わることができる。セル再選択を実施する際に、アイドルモードＷＴＲＵは、現サービングセルおよび近隣セルの属性を測定し、ＷＴＲＵがキャンプオンすべきセルを識別することができる。
【００４０】
一実施形態では、周波数間再選択は、ＷＴＲＵが利用可能な最高の優先順位周波数にキャンプオンすることができる絶対的優先順位に基づくことができる。異なるＥ−ＵＴＲＡＮ周波数の絶対的優先順位を、RRCConnectionReleaseメッセージまたはＳＩＢを介してＳＩでＷＴＲＵに提供することができる。しかし、優先順位が専用シグナリングで提供される場合、ＷＴＲＵは、ＳＩで提供される全ての優先順位を無視することができる。
【００４１】
一実施形態では、SystemInformationBlockType3を使用して、優先順位に基づく新しいセルに対する再選択をトリガすることができる。例えば、threshServingLowQ要素がSystemInformationBlockType3で提供される場合、セル選択品質値（Squal）またはセル選択ＲＸレベル値（Srxlev）が時間間隔中に一定のしきい値より上であることをサービング周波数よりも高い優先順位のＥ−ＵＴＲＡＮ周波数のセルが満たし、ＷＴＲＵが現サービングセルにキャンプオンしてから１秒超経過した場合、ＷＴＲＵは、より高い優先順位のＥ−ＵＴＲＡＮ周波数上でセルに対するセル再選択を実施できる。
【００４２】
別の例では、threshServingLowQ要素がSystemInformationBlockType3で提供される場合、SqualまたはSrxlevが一定のしきい値未満であることをサービングセルが満たし、SqualまたはSrxlevが時間間隔中に一定のしきい値よりも上であることをサービング周波数よりも低い優先順位のＥ−ＵＴＲＡＮ周波数のセルが満たし、ＷＴＲＵが現サービングセルにキャンプオンしてから１秒超経過した場合、ＷＴＲＵは、より低い優先順位のＥ−ＵＴＲＡＮ周波数上でセルに対するセル再選択を実施できる。
【００４３】
別の例では、セル選択基準（Ｓ）が時間間隔中にサービングセルよりも良好にランク付けされることを、等しい優先順位のＥ−ＵＴＲＡＮ周波数上のセルが満たし、ＷＴＲＵが現サービングセルにキャンプオンしてから１秒超経過した場合、ＷＴＲＵは、等しい優先順位のＥ−ＵＴＲＡＮ周波数（例えば、サービングセル周波数の優先順位に等しい）上でセルに対するセル再選択を実施できる。セルの優先順位ランキングはセルランキング基準（ＲｓおよびＲｎ）に基づくことができ、セルランキング基準は、基準信号受信電力（ＲＳＲＰ：reference signal received power）測定値に基づくことができる。上述の時間間隔は、ＷＴＲＵのモビリティ状態のためにスケーリングされることがある。
【００４４】
RRC_CONNECTEDモードのＷＴＲＵは、例えばハンドオーバ（ＨＯ）プロセスを実施することにより、新しいセルに切り替わることができる。ＬＴＥ  ＨＯプロセスでは、接続モードＷＴＲＵは、ｅＮＢと能動的に通信してユーザデータを送信および受信している可能性がある。この状況では、ｅＮＢは、セル探索および測定活動を制御および構成することができる。無線リンクの保守を保証するようにＷＴＲＵ近隣セル性能監視に高い優先順位を与えることができる。
【００４５】
現サービングセルよりも良好なサービングセルを識別したとき、ｅＮＢは、例えばイントラ周波数ハンドオーバ、周波数間ハンドオーバ、およびＲＡＴ間ハンドオーバを含む、いくつかのＨＯタイプのうちの１つを使用して、別のセルにハンドオーバするようにＷＴＲＵをトリガすることができる。イントラ周波数ハンドオーバでは、ソースセルとターゲットセルは同一のＬＴＥ搬送波上で動作できる。周波数間ハンドオーバでは、ソースセルとターゲットセルは異なるＬＴＥ搬送波上で動作できる。ＲＡＴハンドオーバでは、ソースセルとターゲットセルを異なるＲＡＴで配置できる。
【００４６】
図４は、RRC_CONNECTEDモードのＷＴＲＵに関するイントラモビリティ管理エンティティ（ＭＭＥ）ハンドオーバ手順を示す信号図４００である。図示する例では、ソースｅＮＢ４０４がＷＴＲＵ測定手順を構成する。そのように行うために、ソースｅＮＢ４０４は、ＷＴＲＵ４０２に測定制御メッセージ４１０を送信することができる。測定制御メッセージ４１０を受信したことに応答して、ＷＴＲＵ４０２は測定レポート４１２を生成し、ソースｅＮＢ４０４に送信することができる。
【００４７】
少なくとも測定レポート４１２に基づいて、ソースｅＮＢ４０４は、ＨＯが必要であると判断し（４１４）、適切なターゲットｅＮＢ４０６を識別し、ターゲットｅＮＢ４０６にハンドオーバ要求４１６を送ることができる。ターゲットｅＮＢ４０６は、ハンドオーバ要求を受諾し（４１８）、ハンドオーバ要求確認応答（ＡＣＫ）４２０で、ＨＯが実行された後にＷＴＲＵ４０２がターゲットセル４０６にアクセスするためのパラメータをソースｅＮＢ４０４に提供する。パラメータは、例えば、セルＩＤ、搬送周波数、並びに割り振られたアップリンクおよびダウンリンクリソースを含むことができる。
【００４８】
ソースｅＮＢ４０４は、ＷＴＲＵ４０２にハンドオーバコマンド４２２を送信できる。ハンドオーバコマンド４２２を受信したことに応答して、ＷＴＲＵ４０２は、ソースｅＮＢ４０４との無線リンクを解釈し、ターゲットｅＮＢ４０６との新しい無線リンクの確立を開始できる（４３６）。ターゲットｅＮＢ４０６との新しい無線リンクの確立を開始する際に、ソースｅＮＢ４０４とターゲットｅＮＢ４０６は、ダウンリンク同期確立（４３０）、タイミングアドバンス（４３２）およびアップリンクリソース割振り（４３４）に携わることができる。一方、ソースｅＮＢ４０４は、ターゲットｅＮＢ４０６にＷＴＲＵデータを転送することができ（４２４および４２６）、ターゲットｅＮＢ４０６は、ソースｅＮＢ４０４から受信したパケットをバッファリングできる（４２８）。
【００４９】
ターゲットｅＮＢ４０６との間でアップリンク活動が確立されたとき、ＷＴＲＵは、ターゲットｅＮＢ４０６にＨＯ完了メッセージ４３８を送信し、ハンドオーバが完了したことをターゲットｅＮＢ４０６に通知することができる。ターゲットｅＮＢ４０６は、ＨＯが成功したことをＭＭＥ４０８に通知することができ、ＭＭＥ４０８は、ターゲットｅＮＢ４０６にダウンリンクデータをリルートする（reroute）ことができ（４４２）、ターゲットｅＮＢ４０６はハンドオーバを確認することができる（４４０）。
【００５０】
基地局がその使用のために認可された無線周波数上のみで動作するセルラネットワークでは、セルラネットワーク内の各基地局の動作周波数を注意深く選択し、セル間干渉の効果を最小限に抑えながら十分なカバレッジおよび容量を実現する最適な構成を決定することができる。少なくとも、こうしたセルラネットワーク内の基地局動作周波数を選択するために着手される注意深い計画のために、基地局周波数が選択された後は、基地局周波数は固定のままとなる（または非常にまれにしか変更されない）。
【００５１】
１つまたは複数の基地局およびＷＴＲＵがその使用のために具体的に認可されていない１つまたは複数のバンド（例えば、ＴＶＷＳバンド）内で動作するように構成されるセルラネットワークでは、基地局は、いくつかの異なる理由で、その動作周波数をリアルタイムに、または可能な限りリアルタイムに近く切り換える必要があることがある。例えば、ＴＶＷＳなどのバンドは、認可されたバンドよりも強い干渉にさらされることがある。このことは、例えば、隣接するチャネル内の強力なブロードキャストデジタルＴＶ信号が、以前に選択した基地局動作チャネル内に漏れること、以前に選択した基地局動作チャネル上の調整されていない狭帯域人工干渉物の存在、またはチャネル全体を占有していないワイヤレスマイクの存在のためであることがある。別の例では、１次（認可された）スペクトルユーザがチャネルにわたって優先順位を有するので、ＴＶＷＳバンド内で動作するセルは、認可されたバンド内で動作するセルよりも信頼性が低いことがある。別の例では、ＴＶＷＳで動作するセルは、他の２次ユーザおよび人工雑音の存在のために、より多くの干渉にさらされることがある。従って、２次ユーザは、１次ユーザの到着および／または他の２次ユーザとの間の高レベルの干渉のために、所定のチャネル上で動作することを頻繁に停止しなければならないことがある。
【００５２】
その使用のために認可されたバンド内で動作する基地局はまた、基地局がその動作周波数を動的に変更することが最適である可能性のある条件（例えば、他のバンドユーザからの干渉）にさらされることがある。従って、本明細書では無免許のバンド内で動作する基地局およびＷＴＲＵに関して実施形態を説明するが、実施形態は、認可されたバンド内で動作する基地局およびＷＴＲＵにも適用可能である。
【００５３】
ＬＴＥネットワークなどのセルラネットワークは、当初はその使用のために認可された動作周波数を使用することを意図していた。従って、基地局（例えば、ｅＮＢ）が新しいチャネルまたはセル内で動作するように基地局自体を迅速かつ動的に再構成し、そのような再構成が行われたときにＷＴＲＵおよびネットワークに通知することを可能にしたはずの機構は当初は導入されなかった。本明細書に記載の実施形態は、例えば、セル再構成、ダイレクテッドセル変更、仮想マルチコンポーネントキャリア（ＣＣ）セルなどの方法を使用して、（例えば、ＴＶＷＳで動作するＬＴＥシステムのために）新しいチャネルまたはセル内で動作するように基地局の再構成を調整し、例えば、基地局セル再構成を調整するのに使用することができる堅牢な機構を実施することのできる方法および装置を提供する。ＴＶＷＳなどの台頭しつつあるスペクトル内のセルラＬＴＥ技術の動作を可能にする機能を含むことのできる拡張型基地局アーキテクチャも説明する。
【００５４】
差し迫ったチャネル変更をＷＴＲＵに通知するのに使用できる機構も本明細書で説明する。一実施形態では、ブロードキャストシステム情報（ＳＩ）内に含めることのできる情報要素（ＩＥ）が定義され、セル再構成の調整のために使用される。別の実施形態では、ＭＢＭＳ（Multimedia Broadcast and Multicast Service）を介してＴＶＷＳ候補リストおよびサービングセル再構成時間を配布することができる。別の実施形態では、セル再構成の調整のために必要なシグナリングオーバヘッドを低減できるマルチキャストＲＮＴＩ（ＭＣ−ＲＮＴＩ）を利用できるマルチキャストアドレッシング機構を説明する。
【００５５】
基地局と基地局がサービスしているＷＴＲＵとの間のセル再構成を調整する方法も本明細書で説明する。一実施形態では、新しい周波数およびセルＩＤを使用して動作するようにセルを再構成する方法を説明する。別の実施形態では、ダイレクテッドセル変更方法を使用して、（例えば、チャネル可用性および／または品質の変化のために）送信を停止する必要があるセルによってサービスされているＷＴＲＵを新しいセルにリダイレクトすることができる。別の実施形態では、仮想マルチコンポーネントキャリア（ＣＣ）セルの概念を拡張することができる。この場合、仮想マルチＣＣセルを、セルによってサービスされているＷＴＲＵによって知られている固有セルＩＤなどの少なくとも１つの固有セル構成パラメータを含むセル構成パラメータのセットに関連付けることができ、セルに関するアクティブな構成として迅速にスワップインまたはスワップアウトすることができる。
【００５６】
ＴＶＷＳに関するアイドルモード手順への適応も本明細書で説明する。一実施形態では、ＳＩ修正期間を適応的に変更し、例えば、セル再構成の調整のためにＳＩおよびＳＩ取得手順を利用するときの切換え待ち時間を低減できる方法を説明する。別の実施形態では、セル再構成が必要であると判定したときに、セル再選択優先順位パラメータを適応的に変更し、別の適切なセルに対するセル再選択を実施するようにＲＲＣ＿ＩＤＬＥモードのＷＴＲＵをトリガすることのできる方法を説明する。
【００５７】
ＴＶＷＳに関するハンドオーバ手順に対する適応も説明する。一実施形態では、RRC_CONNECTEDモードのＷＴＲＵによってＷＴＲＵ測定レポートに基づいてセル再構成をトリガおよび調整する方法を説明する。
【００５８】
本明細書に記載の実施形態の一部を、ＴＶＷＳで動作するＬＴＥシステムに関して説明し、図示する。しかし、本明細書に記載の実施形態のいずれかを、任意の免許不要（ＬＥ：license exempt）バンド（例えば、ＴＶＷＳ、ＩＳＭなど）で動作する他の無線技術（例えば、ＵＭＴＳ）に適用できることを当業者は理解されよう。
【００５９】
図５Ａおよび図５Ｂは、セル再構成の一実施形態を示す図である。図５００ａおよび図５００ｂはそれぞれ、使用のために具体的に認可されていないバンド５０２（例えば、ＴＶＷＳバンド）で、異なる時点で動作するセル５１２を示す。バンド５０２は、チャネル５０４、５０６、５０８および５１０を含むことができる。
【００６０】
図５Ａの図５００ａでは、第１の時刻ｔ０で、基地局（例えば、ｅＮＢ）が、セルＩＤ  ｚを使用してバンド５０２内の（例えば、周波数ｙに対応する）チャネル５０４上でセル５１２ａを操作する。第２の時刻ｔ１で、基地局は、（例えば、１次ユーザまたは２次ユーザとの干渉を検出したために）周波数ｙのチャネル５０４を明け渡さなければならないことを検出することができ、影響を受けるセル下で動作するアイドルモードおよび接続モードのＷＴＲＵに、セル再構成が第３の時刻ｔ２に行われることを通知することができる。基地局はまた、近隣セルにも再構成を通知することができる。
【００６１】
図５Ｂの図５００ｂでは、第３の時刻ｔ２で、基地局は、周波数ｙに関連付けられたチャネル５０４上での送信を停止し、チャネル５０６に対応する新しい周波数（例えば、周波数ｚ）上での送信を開始できる。同一のセルＩＤ  ｚを使用して、新しいチャネル５０６上でセル５１２ｂを操作できる。従って、この実施形態では、基地局は、引き続き同一のセルを操作できるが、異なる周波数上で操作する。一実施形態では、周波数ｙおよび周波数ｚ上での通信のために、同一のセルＩＤを含むセル構成パラメータの同一のセットを使用できる。セル構成パラメータのセットに含めることのできる構成パラメータは、RadioResourceConfigCommon  ＩＥおよび／またはRadioResourceConfigDedicated  ＩＥに含まれる無線リソース情報要素（ＩＥ）を含むことができる。
【００６２】
図６Ａおよび図６Ｂは、ダイレクテッドセル変更の実施形態を示す図である。図６Ａの図６００ａでは、第１の時刻ｔ０で、基地局（例えば、ｅＮＢ）が、セル構成パラメータのセットおよび第１のセルＩＤを使用してバンド６０２内の複数のチャネル６０４、６０６、６０８、および６１０のうちの（例えば、周波数ｙに対応する）チャネル６０４上でセル６１２を操作することができる。セル構成パラメータのセットに含めることのできる構成パラメータは、RadioResourceConfigCommon  ＩＥおよび／またはRadioResourceConfigDedicated  ＩＥに含まれる無線リソース情報要素（ＩＥ）を含むことができる。
【００６３】
第２の時刻ｔ１で、基地局は、（例えば、１次ユーザまたは２次ユーザとの干渉を検出したために）周波数ｙのチャネル６０４を明け渡さなければならないことを検出することができ、第３の時刻ｔ２で、第２のセルＩＤおよびセル構成パラメータの同一のセットを使用して、（例えば、周波数ｚに対応する）チャネル６０６上で新しいセル６１４ａをセットアップすることができる。時刻ｔ２に開始して、基地局は、影響を受けるセル６１２を使用しているアイドルモードＷＴＲＵに、新しいセル６１４に対するダイレクテッドセル再選択を開始するように通知することができる。ＷＴＲＵは、上述のＬＴＥセル再選択手順などのセル再選択手順を使用して新しいセルを再選択できる。望むなら、例えばセル再選択測定の一部を省略し、または新しいセルの完全なＳＩＢ読取りを回避することにより、そのような手順を簡素化することができる。
【００６４】
時刻ｔ２に開始して、基地局はまた、例えば同期したハンドオーバや、図４に関して上記で説明した方法などの他の方法を使用して、接続モードのＷＴＲＵに新しいセル６１４ｂへのＨＯを開始するように通知することもできる。図６Ｂの図６００ｂに示すように、例えば、第４の時刻ｔ３で、基地局は、影響を受けるセル６１２の動作を停止できる。基地局はまた、近隣セルに再構成を通知することもできる。
【００６５】
図７Ａおよび図７Ｂは、仮想マルチコンポーネントキャリア（ＣＣ）セル７１８の実施形態を示す図である。仮想マルチＣＣセル７１８は、例えば、異なるチャネルにわたって動作する単一のｅＮＢによって制御されるセル７１２、７１４、および７１６のセットを含むことができる（例えば、チャネル７０４、７０６、７０８、および７１０のうちのチャネル７０４、７０６、および７１０がバンド７０２に属する）。セル７１２、７１４、および７１６の全てよりも少ないセルが、所定の時刻に接続モードＷＴＲＵとアイドルモードＷＴＲＵのどちらにもサービスするようにアクティブである可能性がある。他のセルは、休眠状態または非活動化状態のままである可能性がある。各セルについて同一であることがあるセル構成パラメータのセットと、各セルについての異なるセルＩＤを含む少なくとも１つの固有セル構成パラメータとを含む、セル７１２、７１４、および７１６のそれぞれについての構成パラメータを独立に設定することができ、仮想マルチＣＣセル７１８によってサービスされる全てのＷＴＲＵがあらかじめ知ることができる。セル構成パラメータのセットに含めることのできる構成パラメータは、RadioResourceConfigCommon  ＩＥおよび／またはRadioResourceConfigDedicated  ＩＥに含まれる無線リソース情報要素（ＩＥ）を含むことができる。
【００６６】
図７Ａに示す例では、第１の時刻ｔ０で、ｅＮＢが図７００ａ中の仮想マルチＣＣセル７１８を操作し、第１の動作周波数Ｙおよび第１のセルＩＤ  ｕを有することができるセル７１２ａがアクティブであり、一方、異なる動作周波数およびセルＩＤを有することができるセル７１４ａおよび７１６ａは休眠状態である。第２の時刻ｔ１で、ｅＮＢは、現在アクティブなセル７１２ａをその上で操作しているチャネル７０４を明け渡さなければならないことを検出できる。時刻ｔ２に開始して、ｅＮＢは、第３の時刻ｔ２にセット７１８の別のセル（例えば、セル７１４ａ）が活動化され、現在アクティブなセル７１２ａが休眠状態となることを、アイドルモードＷＴＲＵおよび接続モードＷＴＲＵに通知できる。図７Ｂの図７００ｂに示すように、第３の時刻ｔ２に、例えば、ｅＮＢは、以前にアクティブであったセル７１２ｂを非活動化し、以前に休眠状態であったが事前構成されたセルのうちの１つ（例えば、７１４ｂまたは７１６ｂ）を活動化することができる。
【００６７】
図５〜図７に関して上記で説明したセル再選択、ダイレクテッドセル変更、および仮想マルチＣＣセルの例は、基地局の動作周波数の変更が必要である可能性があると判定したとき、基地局が周波数を迅速に切り換えることを可能にすることができる。例えば、周波数変更が必要であるという迅速な決定、およびそのような変更が差し迫っていることの、アイドルモードＷＴＲＵおよび接続モードＷＴＲＵへの迅速な通知を含む、そのような周波数変更のより効率的な調整を可能にすることのできる方法を図８、９、および１０に関して以下で説明する。
【００６８】
一実施形態では、基地局は、基地局がサービスしている全てのＷＴＲＵに基地局が送信ることのできるメッセージ（例えば、マルチキャストメッセージ）を使用して、動作周波数の差し迫った変更を、アイドルモードＷＴＲＵと接続モードＷＴＲＵのどちらにも通知できる。専用メッセージを使用して、動作周波数の差し迫った変更をＷＴＲＵに通知することもできることを当業者は理解されよう。一実施形態では、セル再構成に関連する情報をマルチキャストメッセージに含めることもできる。別の実施形態では、マルチキャストメッセージは、セル再構成が差し迫っていることをＷＴＲＵに通知することができるだけであり、基地局によってサービスされているＷＴＲＵは、ＳＩ取得手順（図２に示す手順など）を使用して、マルチキャストメッセージの受信時にセル再構成に関する情報を取得することができる。アイドルモードＷＴＲＵでは、例えばページング制御チャネル（ＰＣＣＨ）を使用して、マルチキャストメッセージを通信することができる。接続モードＷＴＲＵでは、例えばシグナリング無線ベアラ（ＳＲＢ）を使用して、マルチキャストメッセージを通信することができる。
【００６９】
ＲＲＣ＿ＩＤＬＥ状態のＷＴＲＵ（本明細書ではアイドルモードＷＴＲＵとも呼ぶ）は低活動状態にあり、低活動状態では、ＷＴＲＵが、電池消費を低減するために大部分の時間をスリープし、従って、アイドルモードＷＴＲＵは、基地局とのアップリンク同期を維持できない。しかし、ダウンリンクでは、アイドルモードＷＴＲＵは、着呼に対してページングを受けるために周期的にウェイクアップすることができ、測定を行ってサービングセルおよび近隣セル品質を評価するためにウェイクアップする必要もあることがある（基準信号受信電力（ＲＳＲＰ）および基準信号受信品質（ＲＳＲＱ）の測定など）。具体的には、アイドルモードＷＴＲＵは、少なくとも１度の非常に不連続な（ＤＲＸ）サイクルでサーバセルに関するセル選択基準を評価する必要があることがある。
【００７０】
アイドルモードＷＴＲＵに関する周波数変更条件の一実施形態では、アイドルモードＷＴＲＵは、もっぱらＴＶＷＳで動作するＥ−ＵＴＲＡＮが、個々にRRC_CONNECTEDモードに変化し、次いでサービングセルチャネルを変更した後にアイドルモードにスイッチバックすることによって周波数を変更しようとすることについて通知を受けることができる。この手法は、アイドルモードＷＴＲＵに関するチャネル切換え遅延を最小限に抑えることができるが、多量のアイドルモードＷＴＲＵが存在する場合にシグナリングオーバヘッドが生じ、ＷＴＲＵの電力消費が増大する。（例えば、各周波数帯で排他的に動作する基地局について）必要なシグナリングオーバヘッドおよび電力消費を最小限に抑えることができ、最小のオーバヘッドコストで低待ち時間チャネル切換えを実現する、アイドルモードＷＴＲＵに関する周波数変更調整の別の実施形態を、例えば図８および図９に関して以下で説明する。
【００７１】
一実施形態では、ＤＲＸサイクルまたは修正期間を修正する（例えば、低減する）ことができ、それにより、ＳＩをより頻繁に読み取るようにアイドルモードＷＴＲＵをトリガする（それによって、例えば、従来の修正期間よりも早く差し迫ったチャネル変更を通知する）ことによってアイドルモードＷＴＲＵのチャネル切換え待ち時間を低減できる。例えばmodificationPeriodCoeff要素および／またはdefaultPagingCycle要素を変更することにより、修正期間の変更を実施できる。ｅＮＢは、例えばページングメッセージを使用して、システム情報変更について複数のアイドルモードＷＴＲＵに通知できる。
【００７２】
図８は、ネットワークステータスに基づく適応修正期間変更の例示的方法の図８００である。図示する例では、現チャネル（例えば、ＴＶＷＳチャネル）を変更する必要がある（例えば、現ＴＶＷＳチャネルのチャネル品質が指定の値よりも低いが、作業範囲内にある）確率が高いことを基地局（例えば、ｅＮＢ）が検出するとき、基地局は、ＢＣＣＨ修正期間８０２中にsystemInfoModification要素をページングメッセージに含めることにより、システム情報変更が差し迫っていることをＷＴＲＵに通知することができる。ＷＴＲＵは新しいシステム情報を取得することができ、基地局は、次の修正期間で新しいＤＲＸサイクルまたは新しい修正期間係数（例えば、削減したdefaultPagingCycleまたはより小さいmodificationPeriodCoeff）を含むことができる。新しいシステム情報を取得した後、ＷＴＲＵは、次のＢＣＣＨ修正期間８０４中に更新後システム情報（例えば、より短いＤＲＸサイクルまたは小さい修正期間係数）を適用することができる。より短い修正期間またはＤＲＸサイクルが実施された後に、基地局がセル再構成が必要であると判定した場合、基地局は、ページングメッセージにsystemInfoModification要素を含めることができ、ＷＴＲＵは、ＢＣＣＨ修正期間８０６中に再び基地局からシステム情報を取得できる。あるいは、修正期間８０８中に基地局によってブロードキャストすることのできるSystemInformationBlockType1に含まれるフィールドfreqBandIndicatorで、新しいＴＶＷＳチャネルを示すことができる。ＷＴＲＵが新しいＴＶＷＳチャネルに移動した後に、ＷＴＲＵは、元の修正期間またはＤＲＸサイクルに戻ることができる。チャネル条件が改善され、セル再構成が不要であると基地局が判定した場合、基地局は、システム情報変更についてＷＴＲＵに通知することができ、元の修正期間を再開することができる。
【００７３】
別の実施形態では、ＤＲＸサイクルを変更することなく、差し迫った周波数変更の通知をＳＩに埋め込むことができ、チャネル切換えでの電力消費が節約される。この場合、最新のチャネル使用ステータスに従ってフィールドcellReselectionPriorityを設定することにより、ＳＩＢにチャネル候補リストを含めることができる。
【００７４】
（例えば、例えばＴＶＷＳデータベースをチェックすること、スペクトル検知などによって決定される様々な要素のために）サービング基地局が現動作チャネルを間もなく解放することをサービング基地局が知っている場合、サービング基地局は、現チャネルの優先順位レベルを最低に設定し、候補チャネルの優先順位レベルを高く設定できる。チャネル条件に基づいて、基地局で候補チャネル（例えば、基地局が恐らくはそれに切り替わるチャネル）を求めることができる。アイドルモードＷＴＲＵのサービングセルがその動作チャネルを変更した後にアイドルモードＷＴＲＵがウェイクアップした後は、アイドルモードＷＴＲＵは、そのサービングセルのSqualおよび/またはSrelevが指定のしきい値未満であることを検出できる。次いで、アイドルモードＷＴＲＵは、その格納されたシステム情報に従って、優先順位レベルの順にチャネルを測定できる。この優先順位情報は、ＷＴＲＵが新しい動作チャネルとなる可能性の低い一定のチャネルを測定する必要を回避できるので、セル再選択手順を容易にすることができる。
【００７５】
短い時間枠で現動作チャネルを解放しないことをサービング基地局が知っている場合、サービング基地局は、現チャネルの優先順位レベルを最高となるように設定し、例えば、チャネル変更を準備しないようにＷＴＲＵに通知できる。別の実施形態では、基地局が動作チャネルを変更する必要があることを基地局が知っている場合、基地局は、ＳＩで新しいチャネル情報をブロードキャストすることができる。この情報は、新しい動作チャネル、および（例えば、Ｋ個のフレームまたはＮ個の修正期間によって指定される）基地局が新しい動作チャネルに切り替わる時刻を含むことができる。
【００７６】
一実施形態では、基地局は、情報要素（ＩＥ）systemInfoModificationを含むページングメッセージを使用して、新しいＳＩを読み取るようにアイドルモードＷＴＲＵをトリガすることができる。別の実施形態では、基地局は、新しいchannelchange-Indication  ＩＥを有するページングメッセージを使用して、新しいＳＩを読み取るようにアイドルモードＷＴＲＵをトリガすることができ、例えば、次の修正期間の開始を待つのではなく、セル再構成に関するＳＩを直ちに読み取るようにＷＴＲＵに通知する。別の実施形態では、基地局は、チャネル変更特有の無線ネットワーク一次識別子（ｃｃ−ＲＮＴＩ：channel-change specific radio network temporary identifier）宛てのＰＤＣＣＨメッセージを使用して、新しいＳＩを読み取るようにアイドルモードＷＴＲＵをトリガできる。このメッセージの受信時に、ＷＴＲＵは、ＳＩの読取りを開始し、新しい動作チャネル情報を求めることができる。こうした実施形態のいずれでも、ＷＴＲＵは、ＳＩを読み取るインジケーションを得るために、そのＤＲＸ期間の終わりまで待つことができる。別の実施形態では、物理層シグナリングを通じてインジケーションを与えることができる。
【００７７】
図９は、物理層セル再構成インジケーションの一例を示す図９００である。一実施形態では、ＷＴＲＵは、セル特有のダウンリンク基準信号中の特定のパターンを利用して、ＤＲＸ期間に対する終了およびＳＩの読取りをトリガし、潜在的な新しい動作チャネルを求めることができる。別の実施形態では、基地局は、いくつかのセル特有基準信号リソース要素の送信を控えることができる。この例を図９のリソース要素９０２で示す。このパターンの観測により、セル再構成ＳＩの読取りをトリガできる。これにより、ＤＲＸサイクルの外に出て、セル再構成インジケーションを求めてＰＤＣＣＨを監視することを開始するようにＷＴＲＵをトリガすることもできる。一実施形態では、ネットワークは、リソース要素９０４のセットを予約して、チャネルの変化をシグナリングでき、例えばこの目的専用のセル特有の基準信号の新しいセットを定義することによってシグナリングできる。
【００７８】
別の実施形態では、ＭＢＭＳ（Multimedia Broadcast and Multicast Service）を使用して、ＴＶＷＳ候補リストおよびサービングセル再構成時刻を配布できる。ＬＴＥでは、ＭＢＭＳサービスを受信することに関心のあるアイドルモードのＷＴＲＵが、マルチキャスト制御チャネル（ＭＣＣＨ）取得手順を適用して、対応するＭＢＳＦＮ（MBMS over a Single Frequency Network）エリアへの進入時、およびＭＣＣＨ情報が変化したという通知の受信時にＭＣＣＨ情報を受信できる。一実施形態では、ＴＶＷＳ候補リストおよびチャネル変更通知をＭＣＣＨに含めることができる。別の実施形態では、ＴＶＷＳ候補リスト／新しいサービングセル変更および変更時刻をマルチキャストチャネル（ＭＣＨ）スケジューリング情報（ＭＳＩ）に含めることができ、ＭＳＩは、ＷＴＲＵによって生成することができ、ＭＣＨスケジューリング期間の始めに１度提供することができ、ＭＣＣＨよりも高いスケジューリング優先順位を有することができる。アイドルモードＷＴＲＵが最小の遅延で通知を得るために、ＭＣＨスケジューリング期間をネットワークステータスに適合させることができる。動的システム管理（ＤＳＭ）エンジン（図１２に関して以下でより詳細に説明する）は、チャネル切換えが近い将来に行われる可能性があることを予測し、アイドルモードのＷＴＲＵがチャネル通知をより早期に得ることができるようにＭＣＨスケジューリング期間を短縮できる。
【００７９】
アイドルモードＷＴＲＵとは対照的に、RRC_CONNECTED状態のＷＴＲＵ（本明細書では接続モードＷＴＲＵとも呼ぶ）は、アップリンクとダウンリンクのどちらでもサービング基地局とアクティブに通信することができる。接続モードＷＴＲＵとの間で基地局動作周波数変更を調整するための高速かつ効率的な機構を実施するために、ブロードキャスト／マルチキャストメッセージング機能を無線リソースコントローラ（ＲＲＣ）に含めることができる。そのような機能は、ＲＲＣが単一のメッセージを使用して全ての接続モードＷＴＲＵに差し迫ったセル再構成を通知することを可能にする。専用ＲＲＣシグナリングを使用して、接続モードＷＴＲＵとの間で基地局動作周波数を調整することもできることを当業者は理解されよう。
【００８０】
一実施形態では、異なるＷＴＲＵのセットをそれぞれアドレス指定する複数のマルチキャストメッセージを使用して、接続モードＷＴＲＵにチャネル変更を通知できる。装置クラスやサービス品質（ＱｏＳ）などのＷＴＲＵ関連の特性に応じて、どのＷＴＲＵがどのマルチキャストグループに属するかを決定できる。これにより、例えば接続モードＷＴＲＵがセル再構成を実施する順序を基地局が優先順位付けすることが可能となる。一実施形態では、グループが、命令を含むマルチキャストメッセージを受信して、その優先順位の順にセル再構成またはハンドオーバを実施できる。例えば、最高の優先順位を有するグループが、他のグループがそのマルチキャストメッセージを受信する前に、命令を含むマルチキャストメッセージを受信して、セル再構成またはハンドオーバを実施できる。一実施形態では、あるグループは命令を全く受信しないことがある。
【００８１】
一実施形態では、マルチキャストＲＮＴＩ（ＭＣ−ＲＮＴＩ）を使用して、ＲＲＣメッセージのマルチキャスティングをサポートすることができる。所定のセル内の全てのＷＴＲＵについて同一でよいＭＣ−ＲＮＴＩを、RRCConnectionSetupメッセージでＷＴＲＵにシグナリングできる。セル再構成を調整するとき、基地局は、ＭＣ−ＲＮＴＩをＲＲＣメッセージに関する宛先ＷＴＲＵ識別として使用できる。セル再構成情報を含むように、かつセル再構成を調整するように、HandoverCommandなどの既存のＲＲＣメッセージを拡張することができる。別の実施形態では、この目的で、新しいＲＲＣメッセージ、例えばChannelChangeCommandを使用できる。
【００８２】
図１０は、接続モードＷＴＲＵに関する例示的チャネル変更手順を示す信号図１０００である。図示する例では、サービング基地局（例えば、ｅＮＢ）１００６（例えば、ＲＲＣ１００８およびＤＳＭエンジン１０１０を含むことができる）がＴＶＷＳチャネル上で動作し、２つのＷＴＲＵ１００２および１００４が基地局１００６によって（例えば、RRC_CONNECTEDモードで）アクティブにサービスされると仮定することができる。しかし、チャネル変更手順の実施形態は、３つ以上のＷＴＲＵがアクティブにサービスされるときにも適用することができる。サービング基地局は、ＷＴＲＵ測定手順を構成することができ、ＷＴＲＵは、測定レポートを生成し、サービング基地局に送信できる。
【００８３】
サービング基地局１００６は、測定制御メッセージ１０１４／１０１８をそれぞれＷＴＲＵ１００２および１００４に送信することができ、測定制御メッセージ１０１４／１０１８を受信したことに応答して、ＷＴＲＵ１００２および１００４は、それぞれの測定レポート１０１６／１０２０をサービング基地局１００６に送り戻すことができる。ＷＴＲＵ測定レポート１０１６／１０２０に基づいて、サービング基地局は、ＴＶＷＳセル再構成が必要であると判断することができる（１０２２）。測定レポート１０１６／１０２０は、例えば、本明細書では非アクティブチャネルと呼ぶことのある、アクティブチャネル以外のＴＶＷＳチャネルについての情報を含むことができる。適切なターゲットＴＶＷＳチャネルを識別する際に、サービング基地局１００６のＲＲＣ１００８は、チャネル変更要求メッセージ１０２４で非アクティブＴＶＷＳチャネルについての情報を提供することにより、チャネル制御またはＤＳＭエンジン１０１０を用いることができる。ＲＲＣ１００８は、例えば測定レポート１０１６／１０２０から、非アクティブＴＶＷＳチャネルについての情報を得ることができる。チャネル制御またはＤＳＭエンジン１０１０は、何らかの計算を行うことができ、新しいＴＶＷＳチャネルを求めることができ、チャネル変更応答メッセージ１０２６を介して、新しいＴＶＷＳチャネルについてＲＲＣ１００８に通知することができる。
【００８４】
サービング基地局１００６は、全ての接続モードＷＴＲＵ（例えば、ＷＴＲＵ１００２および１００４）にセル再構成／チャネル変更コマンド１０２８を（例えば、マルチキャストメッセージングを使用して）シグナリングできる。専用メッセージングを使用して、ＷＴＲＵに再構成／チャネル変更コマンドをシグナリングできることも当業者は理解されよう。ChannelChangeCommandメッセージは新しいチャネル搬送周波数を含むことができる。ChannelChangeCommandメッセージがマルチキャストされた後は、サービング基地局１００６は、古いＴＶＷＳチャネル上での動作を中止して、新しいＴＶＷＳチャネル上での動作を開始することができる（１０３０）。別の実施形態では、共通探索空間内の新しい、または拡張されたＤＣＩメッセージを定義して、RRC_Connectedモードの全てのＷＴＲＵに差し迫ったセル再構成を通知できる。
【００８５】
ＷＴＲＵがサービング基地局１００６からChannelChangeCommandメッセージを受信した後は、ＷＴＲＵは、古いＴＶＷＳチャネル上の無線リンクを中断し、新しいＴＶＷＳチャネル上で無線リンクの確立を開始できる（１０３８／１０４０）。このプロセスは、例えば、ダウンリンク同期確立１０３２、タイミングアドバンス１０３４、およびアップリンク割振り１０３６を含むことができる。新しいＴＶＷＳチャネル上でアップリンク活動を確立した後は、ＷＴＲＵ１００２および１００４は、それぞれChannelChangeCompleteメッセージ１０４２および１０４４をサービング基地局１００６に送信し、チャネル変更が完了したことをサービング基地局１００６に通知できる。タイミングアドバンス１０３４の前に、ＷＴＲＵ１００２および１００４がコンテンションベースのランダムアクセス手順を実施すると仮定することができる。別の実施形態では、ＷＴＲＵ１００２および１００４とサービング基地局１００６との間の伝播遅延は、チャネルを変更するのにかかる時間では著しく変化しないと仮定することができる。この実施形態では、ランダムアクセスチャネル（ＲＡＣＨ）を必要としない同期式セル再構成手順（synchronized cell reconfiguration procedure）を使用できる。
【００８６】
接続モードＷＴＲＵの全てからChannelChangeCompleteメッセージを受信したことに応答して、サービング基地局１００６は、接続モードＷＴＲＵ（例えば、ＷＴＲＵ１００２および１００４）の全てにChannelChangeComplete確認応答（ＡＣＫ）メッセージ（例えば、ＡＣＫメッセージ１０４６および１０４８）を送信することによってセル再構成を確認できる。一実施形態では、サービング基地局１００６は、セル再構成をモバイル管理エンティティ（ＭＭＥ）１０１２に通知することもできる。
【００８７】
上述の方法では、ＷＴＲＵは、その現サービング基地局の動作周波数の変化の通知を受信する。しかし、基地局動作周波数の変更があった場合にそれを近隣セルに通知し、その結果、それに応じて近隣基地局がそのＳＩを更新できることも望ましいことがある。ＴＶＷＳで動作するＬＴＥシステムに関する一実施形態では、その動作周波数を変更する基地局は、そのＳＩブロードキャストに、その構成についての情報だけでなく、近隣ＴＶＷＳセルの構成についての情報も含むことができる。このことは、例えば、既存のＳＩＢを使用することによって、またはこの情報を搬送するために情報要素（ＩＥ）および／またはＳＩＢを追加することによって実施できる。従って、ＴＶＷＳ基地局がセル再構成を実施するとき、ＴＶＷＳ基地局は、ＳＩおよび対応するＳＩＢを新しい動作周波数に適合するように更新できる。さらに、セル再構成をネットワーク内の近隣セルに通知することもでき、従って、近隣セルは、それに応じてそのＳＩを更新できる。これを実施するために、ＴＶＷＳ基地局は、セル再構成をいつ実施するかをネットワークに通知できる。一実施形態では、ＬＴＥネットワーク内の基地局間のＸ２インターフェースを使用して、他のｅＮＢにセル再構成を通知できる。
【００８８】
上述の方法は、任意のタイプの無線ネットワークで実装できる。以下の図１１および図１２に関して、上記の方法と共に使用するように特に適合することのできる無線ネットワークおよびアーキテクチャの例を図示し、説明する。
【００８９】
図１１は、ＴＶＷＳを使用する例示的ＬＴＥネットワークの図１１００である。図示する実施形態では、ＬＴＥネットワークが、ＬＴＥマクロセル１１０２と、ＴＶＷＳピコ／フェムトセル１１０４ａ、１１０４ｂ、１１０４ｃ、１１０４ｄ、１１０４ｅ、および１１０４ｆのアンダーレイとを含む異種アーキテクチャを含む。ＴＶＷＳピコ／フェムトセル１１０４ａ、１１０４ｂ、１１０４ｃ、１１０４ｄ、１１０４ｅ、および１１０４ｆは低電力ピコ／フェムトセルでよく、例えばカバレッジホールをなくし、または密集したユーザを有するエリア（例えば、ホットスポット）内の容量を改善するように配置できる。そのような実施形態では、認可されたバンド周波数を使用して動作するように想定されるマクロセル１１０２が、ｅＮＢセル再構成を支援することができる。図１１に示す実施形態は、ｅＮＢセル再構成を支援することのできるマクロセル１１０２を示すが、他のセル（例えば、近隣セル）もｅＮＢ再構成を支援することができる。
【００９０】
セル再構成後にＷＴＲＵが同一の基地局にキャンプオンするようにＷＴＲＵを再構成することの代替実施形態は、セル再構成を開始する前に、別の適切なセル（例えば、マクロセル１１０２）に対する再選択を実施するようにＷＴＲＵをトリガすることでよい。このことは、例えば、近隣セルがセル再選択の要件を満たすように再選択基準を修正することによって実施できる。セル再選択を制御するのに使用される修正後のパラメータを、ＳＩで、または専用シグナリングを介してＷＴＲＵに与えることができる。別の実施形態では、サービング基地局は、そのセルアクセス関連情報を禁止されるとみなされるように変更できる。このことにより、サービングセルが禁止されると判定したときに強制的にセル再選択をＷＴＲＵに実施させることができる。セル再選択待ち時間を削減するために、基地局は、ＷＴＲＵをページングして、ＳＩに対する修正が行われたことを示すことができる。ＴＶＷＳ基地局がセル再構成を完了した後は、元のＴＶＷＳ基地局を再選択するように再選択基準を更新できる。
【００９１】
いくつかのユーザ／サービスについて、基地局セル再構成中にＷＴＲＵとネットワークとの間の信頼性の高い接続を維持しなければならない。基地局セル再構成に関連する待ち時間を許容できない場合、ＴＶＷＳ基地局は、セル再構成を開始する前に、ＷＴＲＵまたはＷＴＲＵのセットを近隣セル（例えば、マクロセル１１０２）にハンドオーバすることができる。ＷＴＲＵのリストと、ＷＴＲＵを近隣セルにハンドオーバする順序とを、提供されているサービスのＱｏＳに基づいて求めることができる。既存のハンドオーバ手順またはマルチキャストハンドオーバ手順を使用して、ＴＶＷＳピコ／フェムトセルから近隣セルに対するハンドオーバを実施できる。セル再構成の完了時に、ＴＶＷＳ基地局は、近隣基地局にその新しい動作周波数を通知することができ、その時刻に、新しいサービングセルが、元のＴＶＷＳ基地局に戻るハンドオーバを実施できる。
【００９２】
図１２は、ＴＶＷＳで動作するＬＴＥシステムに関する例示的アーキテクチャの図１２００である。例示的アーキテクチャはｅＮＢ１２０４および１２１０を含み、ｅＮＢ１２０４および１２１０のそれぞれは、対応するセル１２１６ａ、１２１６ｂ、および１２１６ｃ（ｅＮＢ１２０４に対応する）、並びに１２１８ａ、１２１８ｂ、および１２１８ｃ（ｅＮＢ１２１０に対応する）の１つまたは複数を操作する。ｅＮＢ１２０４および１２１０のそれぞれは、それぞれの動的スペクトル管理（ＤＳＭ）ユニット１２１６／１２１２およびプロトコルスタック１２０８／１２１４を含む。ｅＮＢ１２０４および１２１０は、Ｘ２インターフェースを介して互いに通信できる。ＤＳＭユニット１２０６および１２１２のそれぞれは、ＴＶＷＳデータセット１２０２と通信できる。
【００９３】
ＤＳＭユニット１２０６および１２１２は、それぞれのｅＮＢ１２０４および１２１０による通信のために使用されるＴＶＷＳチャネルの管理を担当することができる。プロトコルスタック１２０８および１２１４は、例えば、測定レポートをそれぞれのＤＳＭユニット１２０６および１２１２への入力として提供することができ、チャネル選択／変更決定を出力として提供できる。ＤＳＭユニット１２０６および１２１２は、直接的に、または少なくとも１つの他のＴＶＷＳｅＮＢを介してＴＶＷＳデータベース１２０２と通信し、それぞれのｅＮＢ１２０４および１２１０によってサービスされているエリアでの動作のためにどのＴＶＷＳチャネルが利用可能かを判定できる。
【００９４】
ＤＳＭユニット１２０６および１２１２は、ＴＶＷＳデータベース１２０２への照会に基づいてチャネル可用性についての判断を行うことができ、チャネル品質についての判断は、測定レポートに基づいて決定できる。チャネルの可用性の変化（例えば、使用中のチャネルがもはや利用可能ではなくなることをＴＶＷＳデータベースへの照会が示す場合）、またはチャネルの品質の変化によってセル再構成をトリガできる。チャネル選択／変更についての判断は、Ｘ２インターフェースを介して、他のｅＮＢで動作するＤＳＭエンジンと連携することができる（例えば、図１２に示す例では、ｅＮＢ１２０４はｅＮＢ１２１０と連携することができる）。
【００９５】
実施形態
１．無線送信／受信ユニット（ＷＴＲＵ）で実装される方法であって、第１の基地局動作周波数と、セル構成パラメータのセットとを使用して基地局と通信する方法。
【００９６】
２．所定の時刻に基地局と通信するのに使用するための第２の基地局動作周波数を示す情報を受信することをさらに含む実施形態１の方法。
【００９７】
３．所定の時刻またはその後に、第２の基地局動作周波数と、セル構成パラメータの同一のセットとを使用して基地局と通信することをさらに含む実施形態２の方法。
【００９８】
４．セル構成パラメータのセットは、RadioResourceConfigCommon  ＩＥおよびRadioResourceConfigDedicated  ＩＥの少なくとも一方に含まれる無線リソース情報要素（ＩＥ）を含む実施形態１〜３のいずれか１つの方法。
【００９９】
５．第２の基地局動作周波数に変更するためのトリガを受信することをさらに含む実施形態１〜４のいずれか１つの方法。
【０１００】
６．トリガを受信することに応答して、所定の時刻またはその後に基地局と通信するために第２の基地局動作周波数に変更することをさらに含む実施形態５の方法。
【０１０１】
７．所定の時刻に基地局によって操作される新しいセルに対するダイレクテッドセル再選択を開始する命令と、新しいセルに対するハンドオーバ手順を開始する命令の一方を受信することをさらに含み、新しいセルは、第２の基地局動作周波数および第２のセルＩＤに対応する実施形態１〜６のいずれか１つの方法。
【０１０２】
８．所定の時刻に新しいセルに対するダイレクテッドセル再選択またはハンドオーバの一方を開始することをさらに含む実施形態７の方法。
【０１０３】
９．ＷＴＲＵが基地局によって操作される複数のセルの動作パラメータと共に事前構成され、方法は、所定の時刻に、第１のセルＩＤに対応するセルが休眠状態となり、第２のセルＩＤに対応するセルがアクティブとなるという通知を受信することをさらに含む実施形態１〜８のいずれか１つの方法。
【０１０４】
１０．所定の時刻に基地局と通信するのに使用するための第２の基地局動作周波数を示す情報を受信することは、基地局からシステム情報（ＳＩ）を読み取ることを含む実施形態１〜９のいずれか１つの方法。
【０１０５】
１１．SystemInfoModification情報要素（ＩＥ）を含むページングメッセージまたはChannelchange-Indication  ＩＥを含むページングメッセージの一方で基地局によってブロードキャストされるＳＩを読み取るためのトリガを受信することをさらに含む実施形態１０の方法。
【０１０６】
１２．ＷＴＲＵが無線リソースコントローラ（ＲＲＣ）＿ＣＯＮＮＥＣＴＥＤモードにあり、所定の時刻に基地局と通信するのに使用するための第２の基地局動作周波数を示す情報を受信することは、RRCConnectionSetupメッセージ、ユニキャストメッセージ、およびChannelChangeCommandに含まれるマルチキャスト無線ネットワーク一次識別子（ＭＣ−ＲＮＴＩ）のうちの１つを受信することを含む実施形態１〜１１のいずれか１つの方法。
【０１０７】
１３．第１の基地局動作周波数と、セル構成パラメータのセットとを使用して基地局と通信するように構成された送受信ユニットを備える無線送信／受信ユニット（ＷＴＲＵ）。
【０１０８】
１４．送受信ユニットが、所定の時刻に基地局と通信するのに使用するための第２の基地局動作周波数を示す情報を受信するようにさらに構成される実施形態１３のＷＴＲＵ。
【０１０９】
１５．送受信ユニットが、所定の時刻またはその後に、第２の基地局動作周波数と、セル構成パラメータの同一のセットとを使用して基地局と通信するようにさらに構成される実施形態１４のＷＴＲＵ。
【０１１０】
１６．基地局の動作周波数を変更する方法であって、第１の基地局動作周波数を使用して無線送信／受信ユニット（ＷＴＲＵ）と通信することを含む方法。
【０１１１】
１７．基地局の動作周波数を変更することを決定することをさらに含む実施形態１６の方法。
【０１１２】
１８．基地局の動作周波数を変更することを決定することに応答して、第２の基地局動作周波数を使用してＷＴＲＵと通信することをさらに含む実施形態１７の方法。
【０１１３】
１９．基地局の動作周波数を変更することを決定することは、第１の基地局動作周波数上の１次ユーザの存在、または所定の干渉レベルを超える第１の基地局動作周波数上の他の２次ユーザからの干渉の少なくとも一方に基づく実施形態１７または１８の方法。
【０１１４】
２０．基地局の動作周波数を変更するその決定に応答して、所定の時刻に基地局によって操作される新しいセルに対するダイレクテッドセル再選択を開始し、または所定の時刻に新しいセルに対するハンドオーバ手順を開始するようにＷＴＲＵに命令を送信することをさらに含む実施形態１６〜１９のいずれか１つの方法。
【０１１５】
２１．少なくとも１つのＷＴＲＵ関連特性に基づいて、基地局によってサービスされる複数のＷＴＲＵを複数のマルチキャストグループにグループ化することをさらに含む実施形態１６〜２０のいずれか１つの方法。
【０１１６】
２２．複数のマルチキャストグループのそれぞれに優先順位レベルを割り当てることをさらに含む実施形態２１の方法。
【０１１７】
２３．別々のマルチキャストメッセージを介して優先順位レベルの順に複数のマルチキャストグループに命令を送信することをさらに含む実施形態２２の方法。
【０１１８】
２４．基地局が、同時に複数のセルを操作するように構成され、複数のセルは、第１の基地局動作周波数に対応する第１のセルと、第２の基地局動作周波数に対応する第２のセルとを含む実施形態１６〜２３のいずれか１つの方法。
【０１１９】
２５．ＷＴＲＵが複数のセルに関するパラメータと共に事前構成される実施形態１６〜２４のいずれか１つの方法。
【０１２０】
２６．所定の時刻に、第１のセルが休眠状態となり、第２のセルがアクティブとなることをＷＴＲＵに命令することをさらに含む実施形態２４または２５の方法。
【０１２１】
２７．システム情報（ＳＩ）ブロードキャストで提供される現基地局動作周波数を変更することにより、動作周波数の変化の通知をＷＴＲＵに送信することをさらに含む実施形態１６〜２６のいずれか１つの方法。
【０１２２】
２８．基地局がＳＩを変更しようとするという通知が現修正期間中に送信され、方法は、次の修正期間中に、変更された現基地局動作周波数でＳＩをブロードキャストすることをさらに含む実施形態２７の方法。
【０１２３】
２９．指定の値よりも低いが、作業範囲内にある現基地局動作周波数の品質が検出されるという条件で、修正期間の時間の長さを削減することをさらに含む実施形態１６〜２８のいずれか１つの方法。
【０１２４】
３０．ＷＴＲＵから少なくとも１つの測定レポートを受信することをさらに含む実施形態１６〜２９のいずれか１つの方法。
【０１２５】
３１．少なくとも１つの測定レポートで提供される情報に応答して、基地局の動作周波数を変更することを決定することをさらに含む実施形態３０の方法。
【０１２６】
３２．第１の基地局動作周波数および第２の基地局動作周波数がテレビジョンホワイトスペース（ＴＶＷＳ）バンド内にある実施形態１６〜３１のいずれか１つの方法。
【０１２７】
３３．第１の基地局動作周波数および第２の基地局動作周波数がピコセルに対応する実施形態１６〜３２のいずれか１つの方法。
【０１２８】
３４．基地局の動作周波数を変更することを決定することに応答して、第２の基地局動作周波数にピコセルを再構成する前に、近隣セルに対する再選択またはハンドオーバの一方を実施するようにＷＴＲＵをトリガする実施形態３３の方法。
【０１２９】
３５．第２の基地局動作周波数にピコセルを再構成することが完了するという条件で、元のピコセルに対する再選択またはハンドオーバの一方を実施するようにＷＴＲＵをトリガする実施形態３４の方法。
【０１３０】
上記では特徴および要素を特定の組合せで説明したが、各特徴または要素を単独で、または他の特徴および要素との任意の組合せで使用できることを当業者は理解されよう。さらに、本明細書に記載の方法は、コンピュータまたはプロセッサによる実行のためにコンピュータ可読媒体に組み込まれたコンピュータプログラム、ソフトウェア、ファームウェアで実装できる。コンピュータ可読媒体の例は、電子信号（有線または無線接続を介して送信される）およびコンピュータ可読記憶媒体を含む。コンピュータ可読記憶媒体の例は、限定はしないが、ＲＯＭ、ＲＡＭ、レジスタ、キャッシュメモリ、半導体メモリ装置、内蔵ハードディスクやリムーバブルディスクなどの磁気媒体、光磁気媒体、およびＣＤ−ＲＯＭディスク、デジタルバーサタイルディスク（ＤＶＤ）などの光媒体を含む。ソフトウェアに関連するプロセッサを使用して、ＷＴＲＵ、ＵＥ、端末、基地局、ＲＮＣ、または任意のホストコンピュータで使用される無線周波数トランシーバを実装できる。
【図１Ａ】
2014510479.tif 000003
【図１Ｂ】
2014510479.tif 000004
【図１Ｃ】
2014510479.tif 000005
【図２】
2014510479.tif 000006
【図３】
2014510479.tif 000007
【図４】
2014510479.tif 000008
【図５Ａ】
2014510479.tif 000009
【図５Ｂ】
2014510479.tif 000010
【図６Ａ】
2014510479.tif 000011
【図６Ｂ】
2014510479.tif 000012
【図７Ａ】
2014510479.tif 000013
【図７Ｂ】
2014510479.tif 000014
【図８】
2014510479.tif 000015
【図９】
2014510479.tif 000016
【図１０】
2014510479.tif 000017
【図１１】
2014510479.tif 000018
【図１２】
2014510479.tif 000019
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
ワイヤレス送信／受信ユニット（ＷＴＲＵ）において実行される方法であって、
前記方法は、
免許不要バンド内の第１の動作周波数およびセル構成パラメータのセットを使用して基地局と通信するステップと、
所定の時刻に前記基地局と通信するのに使用するための前記免許不要バンド内の第２の動作周波数を示す情報を受信するステップと、
前記所定の時刻またはその後に、前記第２の動作周波数およびセル構成パラメータの同一のセットを使用して前記基地局と通信するステップと
を備えることを特徴とする方法。
【請求項２】
前記セル構成パラメータのセットは、RadioResourceConfigCommon  ＩＥおよびRadioResourceConfigDedicated  ＩＥの少なくとも一つに含まれる無線リソース情報要素（ＩＥ）を含むことを特徴とする請求項１に記載の方法。
【請求項３】
前記第２の動作周波数に変更するためのトリガを受信するステップと、
前記トリガを受信することに応答して、前記所定の時刻またはその後に前記基地局と通信するために前記第２の動作周波数に変更するステップと
をさらに備えることを特徴とする請求項１に記載の方法。
【請求項４】
前記所定の時刻に前記基地局によって操作される、新しいセルに対するダイレクテッドセル再選択を開始する命令と、前記新しいセルに対するハンドオーバ手順を開始する命令の一つを受信するステップであって、前記新しいセルは、前記第２の動作周波数および前記第２のセルＩＤに対応する、ステップと、
前記所定の時刻に前記新しいセルに対する前記ダイレクテッドセル再選択または前記ハンドオーバの一つを開始するステップと
をさらに備えることを特徴とする請求項３に記載の方法。
【請求項５】
前記ＷＴＲＵが前記基地局によって操作される複数のセルの動作パラメータで事前構成され、前記方法は、前記所定の時刻に、第１のセルＩＤに対応するセルが休眠状態となり、第２のセルＩＤに対応するセルがアクティブになるという通知を受信するステップをさらに備えることを特徴とする請求項１に記載の方法。
【請求項６】
前記所定の時刻に前記基地局と通信するのに使用するための前記第２の動作周波数を示す前記情報を受信するステップは、前記基地局からシステム情報（ＳＩ）を読み取るステップを含むことを特徴とする請求項１に記載の方法。
【請求項７】
SystemInfoModification情報要素（ＩＥ）を含むページングメッセージまたはChannelchange-Indication  ＩＥを含むページングメッセージの一つにおいて前記基地局によってブロードキャストされる前記ＳＩを読み取るためのトリガを受信するステップをさらに備えることを特徴とする請求項６に記載の方法。
【請求項８】
前記ＷＴＲＵが無線リソースコントローラ（ＲＲＣ）＿ＣＯＮＮＥＣＴＥＤモードにあり、前記所定の時刻に前記基地局と通信するのに使用するための前記第２の動作周波数を示す前記情報を受信するステップは、RRCConnectionSetupメッセージに含まれるマルチキャスト無線ネットワーク一時識別子（ＭＣ−ＲＮＴＩ）で、ユニキャストアドレッシング機構またはマルチキャストアドレッシング機構を使用して、拡張ハンドオーバコマンドまたはChannelChangeCommandを受信するステップを含むことを特徴とする請求項１に記載の方法。
【請求項９】
ワイヤレス送信／受信ユニット（ＷＴＲＵ）であって、
免許不要バンド内の第１の動作周波数およびセル構成パラメータのセットを使用して基地局と通信し、
所定の時刻に前記基地局と通信するのに使用するための前記免許不要バンド内の第２の動作周波数を示す情報を受信し、
前記所定の時刻またはその後に、前記第２の動作周波数およびセル構成パラメータの同一のセットを使用して前記基地局と通信する
ように構成された送受信ユニット
を備えることを特徴とするＷＴＲＵ。
【請求項１０】
基地局の動作周波数を変更する方法であって、
前記方法は、
免許不要バンド内の第１の動作周波数を使用してワイヤレス送信／受信ユニット（ＷＴＲＵ）と通信するステップと、
前記免許不要バンド内で前記基地局の前記動作周波数を変更することを決定するステップと、
動作周波数の前記変更の通知を前記ＷＴＲＵに送信するステップと、
前記基地局の前記動作周波数を変更することを決定するステップに応答して、前記免許不要バンド内の第２の動作周波数を使用して前記ＷＴＲＵと通信するステップと
を備えることを特徴とする方法。
【請求項１１】
前記基地局の前記動作周波数を変更することを決定するステップは、前記第１の動作周波数上の１次ユーザの存在、または所定の干渉レベルを超える前記第１の動作周波数上の他の２次ユーザからの干渉の少なくとも一つに基づくことを特徴とする請求項１０に記載の方法。
【請求項１２】
前記基地局の前記動作周波数を変更する決定に応答して、所定の時刻に前記基地局によって操作される、新しいセルに対するダイレクテッドセル再選択を開始するように、または前記所定の時刻に前記新しいセルに対するハンドオーバ手順を開始するように前記ＷＴＲＵに命令を送信するステップをさらに備えることを特徴とする請求項１０に記載の方法。
【請求項１３】
少なくとも１つのＷＴＲＵ関連特性に基づいて、前記基地局によってサービスされる複数のＷＴＲＵを複数のマルチキャストグループにグループ化するステップと、
前記複数のマルチキャストグループのそれぞれに優先順位レベルを割り当てるステップと、
別々のマルチキャストメッセージを介して優先順位レベルの順に前記複数のマルチキャストグループに前記命令を送信するステップと
をさらに備えることを特徴とする請求項１２に記載の方法。
【請求項１４】
前記基地局が、同時に複数のセルを操作するように構成され、前記複数のセルは、前記第１の動作周波数に対応する第１のセルおよび前記第２の動作周波数に対応する第２のセルを含み、
前記ＷＴＲＵが前記複数のセルに関するパラメータで事前構成されており、
前記方法が、所定の時刻に、前記第１のセルが休眠状態となり、前記第２のセルがアクティブになることを前記ＷＴＲＵに命令するステップをさらに備えることを特徴とする請求項１０に記載の方法。
【請求項１５】
システム情報（ＳＩ）ブロードキャストで提供される現在の動作周波数を変更することにより、動作周波数の前記変更の通知を前記ＷＴＲＵに送信するステップをさらに備えることを特徴とする請求項１０に記載の方法。
【請求項１６】
前記基地局が前記ＳＩを変更しようとするという前記通知が現在の修正期間中に送信され、前記方法は、次の修正期間中に、前記変更された現在の動作周波数で前記ＳＩをブロードキャストするステップをさらに備えることを特徴とする請求項１５に記載の方法。
【請求項１７】
指定の値よりも低いが、作業範囲内にある前記現在の動作周波数の品質が検出されるという条件で、前記修正期間の時間の長さを削減するステップをさらに備えることを特徴とする請求項１６に記載の方法。
【請求項１８】
前記ＷＴＲＵから少なくとも１つの測定レポートを受信するステップと、
前記少なくとも１つの測定レポートにおいて提供される情報に応答して、前記基地局の前記動作周波数を変更することを決定するステップと
をさらに備えることを特徴とする請求項１０に記載の方法。
【請求項１９】
前記第１の動作周波数および前記第２の動作周波数がテレビジョンホワイトスペース（ＴＶＷＳ）バンド内にあることを特徴とする請求項１０に記載の方法。
【請求項２０】
前記第１の動作周波数および前記第２の動作周波数がピコセルに対応し、
前記方法は、
前記基地局の前記動作周波数を変更することを決定するステップに応答して、前記第２の動作周波数に前記ピコセルを再構成する前に、近隣セルに対する再選択またはハンドオーバの一つを実施するように前記ＷＴＲＵをトリガするステップと、
前記第２の動作周波数に前記ピコセルを再構成することが完了するという条件で、元のピコセルに対する再選択またはハンドオーバの一つを実施するように前記ＷＴＲＵをトリガするステップと
をさらに備えることを特徴とする請求項１０に記載の方法。
【国際調査報告】
2014510479.tif 000020
2014510479.tif 000021
2014510479.tif 000022